(57)【要約】【課題】接地を確保して電気的特性の向上を図る。【解決手段】カメラ装置はパネル、主基板、副基板および支持板を備える。パネルは、金属製であり、接地される。主基板は、ＣＭＯＳ撮像素子が実装されている。副基板は、主基板の接地パターンがフレキシブル部を介して引き出され、引き出された接地パターンが表装された接地面を有して、フレキシブル部を介して主基板と接続する。支持板は、金属製であり、主基板に対し、一方の面が接着層を介して固着する。また、フレキシブル部を屈曲させて、副基板の接地面を支持板の他方の面に接続し、支持板を介して、主基板の接地パターンをパネルに導通させて接地する。【選択図】図１
2013172245.tif 000002
【特許請求の範囲】
【請求項１】
接地される金属製のパネルと、
ＣＭＯＳ撮像素子が実装されている主基板と、
前記主基板の接地パターンがフレキシブル部を介して引き出され、引き出された前記接地パターンが表装された接地面を有して、前記フレキシブル部を介して前記主基板と接続する副基板と、
前記主基板に対し、一方の面が接着層を介して固着する金属製の支持板と、
を備え、
前記フレキシブル部を屈曲させて、前記副基板の前記接地面を前記支持板の他方の面に接続し、前記支持板を介して、前記主基板の前記接地パターンを前記パネルに導通させて接地するカメラ装置。
【請求項２】
前記フレキシブル部が折り返されて屈曲した状態で、前記副基板の前記接地面が前記支持板の他方の面に接続し、前記パネルと前記支持板との間に前記主基板を挟んだ状態で、前記副基板、前記支持板および前記パネルを金属製ねじで締結固定することで、前記主基板の前記接地パターンを前記パネルに導通させて接地する請求項１記載のカメラ装置。
【請求項３】
前記支持板は、前記主基板に実装されている前記ＣＭＯＳ撮像素子に接触しないように切り欠き穴が設けられ、前記切り欠き穴以外の部分で前記接着層を介して前記主基板の前記一方の面と固着し、前記副基板は、前記フレキシブル部が折り返されて屈曲した状態では、前記支持板の前記切り欠き穴を覆うようにして、前記支持板の前記他方の面と接続する請求項１記載のカメラ装置。
【請求項４】
前記パネルと、前記支持板が固着していない側の前記主基板の面との間には、フランジバック調整をするための厚みの異なる複数のスペーサが配置している請求項１記載のカメラ装置。
【請求項５】
フレキシブル部を介して第１〜第ｎの基板が接続されている基板ユニットと、
スリットが形成されているスリット部と、前記スリット部の両端に設けられた折り曲げ可能なヒンジを介して、前記スリット部の両端に接続する２本のアーム部と、を含むフレキシブルシャーシと、
を備える電子装置。
【請求項６】
前記スリットに第１の基板が挿入し、前記第１の基板の左右から前記ヒンジを折り曲げて前記アーム部を可動して、前記アーム部に設けられているフックで前記第１の基板を固定し、
残りの第２〜第ｎの基板を、前記フレキシブル部を屈曲させて積層させ、積層させた前記第２〜第ｎの基板を前記アーム部に設けられている突起部で嵌め込み固定する請求項５記載の電子装置。
【請求項７】
前記フレキシブルシャーシの前記スリット部には、放熱板が挿入される放熱板用スリットが形成されている請求項５記載の電子装置。
【請求項８】
スリットが形成されているスリット部と、
前記スリット部の両端に設けられた折り曲げ可能なヒンジを介して、前記スリット部の両端に接続する２本のアーム部と、
を備えるフレキシブルシャーシ。
【請求項９】
第１〜第ｎの基板がフレキシブル部を介して接続されている基板ユニットに対して、
前記スリットに挿入された第１の基板の左右から前記ヒンジを折り曲げて前記アーム部を可動して、前記アーム部に設けられているフックで前記第１の基板を固定し、
前記フレキシブル部を屈曲させて積層させた残りの第２〜第ｎの基板を、前記アーム部に設けられている突起部で嵌め込み固定する請求項８記載のフレキシブルシャーシ。
【請求項１０】
前記スリット部には、放熱板が挿入される放熱板用スリットが形成されている請求項８記載のフレキシブルシャーシ。
【発明の詳細な説明】
【技術分野】
【０００１】
本技術は、撮像を行うカメラ装置、電子部品を備える電子装置および基板が搭載されるフレキシブルシャーシに関する。
【背景技術】
【０００２】
近年、ＣＭＯＳ（Complementary Metal Oxide Semiconductor）イメージセンサを使用したデジタルカメラが増加している。ＣＭＯＳイメージセンサは、ＣＣＤ（Charge Coupled Device）イメージセンサに比べるとより汎用の半導体製造装置を流用でき、また、供給価格が安い等の理由から、小型のデジタルカメラの分野等で盛んに使用されている。
【０００３】
このような、ＣＭＯＳ使用のデジタルカメラでは、基板にＣＭＯＳイメージセンサが実装された状態で装置内に組み込まれる。
【０００４】
このため、フランジバック（カメラレンズマウントのマウント面から、イメージセンサまでの距離）の精度を確保するためには、まず、ＣＭＯＳイメージセンサが実装された基板を別の機構部品（ブラケット）に接着する。そして、フランジバック調整をした後に、ブラケットをダイキャスト部品にねじで固着するという構造が採用されている。
【０００５】
イメージセンサ周辺の構造に関する従来技術としては、イメージセンサとコネクタ間を電気的に連結する基板の外部面に、接地用ビアホールと接地用ダミー基板を具備して、電磁放射を抑制した技術が提案されている（特許文献１）。
【先行技術文献】
【特許文献】
【０００６】
【特許文献１】特開２００８−１５４２３２号公報
【発明の概要】
【発明が解決しようとする課題】
【０００７】
上記のようなデジタルカメラのフランジバック調整機構部においては、ＣＭＯＳイメージセンサが実装された基板が、ブラケットに接着することから、基板とブラケットとの間には、樹脂製の接着層が存在することになる。
【０００８】
ブラケットは、金属製であり、シールドされているダイキャスト部品に固着するのでＧＮＤに導通するが、基板とブラケットとの間には接着層が存在するので、基板とブラケットとの間には電気的接続が得られない。
【０００９】
このため、基板のＧＮＤは、ブラケットを介したＧＮＤに導通せず、基板のＧＮＤを強化することができないので、ノイズが基板に乗りやすくなるといった問題があった。
【００１０】
従来では、ＣＭＯＳイメージセンサが実装された基板から細線同軸ケーブルを出して、他基板に接続することでＧＮＤを確保することが行われていた。
【００１１】
しかし、この場合、細線同軸ケーブルを引き出すためのコネクタを基板上に設けなくてはならないため、例えば、ＭＶ（Machine Vision）カメラのような小型製品に採用することは困難である。
【００１２】
本技術はこのような点に鑑みてなされたものであり、接地を確保して電気的特性の向上を図ったカメラ装置を提供することを目的とする。
【００１３】
また、本技術の他の目的は、組み立て作業を容易にし、生産性の向上を図った電子装置およびフレキシブルシャーシを提供することである。
【課題を解決するための手段】
【００１４】
上記課題を解決するために、カメラ装置が提供される。カメラ装置は、パネル、主基板、副基板および支持板を備える。パネルは、金属製であり、接地される。主基板は、ＣＭＯＳ撮像素子が実装されている。副基板は、主基板の接地パターンがフレキシブル部を介して引き出され、引き出された接地パターンが表装された接地面を有して、フレキシブル部を介して主基板と接続する。支持板は、金属製であり、主基板に対し、一方の面が接着層を介して固着する。また、フレキシブル部を屈曲させて、副基板の接地面を支持板の他方の面に接続し、支持板を介して、主基板の接地パターンをパネルに導通させて接地する。
【発明の効果】
【００１５】
接地を確保して電気的特性の向上を図ることが可能になる。
【図面の簡単な説明】
【００１６】
【図１】カメラ装置の組み立て構成例を示す図である。
【図２】カメラ装置の組み立て構成例を示す図である。
【図３】カメラ装置の組み立て構成例を示す図である。
【図４】基板ユニットの構成例を示す図である。
【図５】フレキシブルシャーシの構成例を示す図である。
【図６】フレキシブルシャーシの構成例を示す図である。
【図７】フレキシブルシャーシによる基板の固定設置を説明するための図である。
【図８】フレキシブルシャーシによる基板の固定設置を説明するための図である。
【図９】フレキシブルシャーシによる基板の固定設置を説明するための図である。
【図１０】フレキシブルシャーシによる基板の固定設置を説明するための図である。
【図１１】フレキシブルシャーシによる基板の固定設置を説明するための図である。
【図１２】フレキシブルシャーシによる基板の固定設置を説明するための図である。
【図１３】フレキシブルシャーシによる基板の固定設置を説明するための図である。
【図１４】フレキシブルシャーシによる基板の固定設置を説明するための図である。
【図１５】フレキシブルシャーシによる基板の固定設置を説明するための図である。
【図１６】フレキシブルシャーシによる基板の固定設置を説明するための図である。
【図１７】フレキシブルシャーシによる基板の固定設置を説明するための図である。
【図１８】フレキシブルシャーシによる基板の固定設置を説明するための図である。
【図１９】カメラ装置の概観を示す図である。
【発明を実施するための形態】
【００１７】
以下、実施の形態を図面を参照して説明する。図１〜図３はカメラ装置の組み立て構成例を示す図である。カメラ装置１０における、フランジバック調整機構を有するフロント部１０１の組み立て構成例を示している。図１は組み立て前の状態を示し、図２は副基板１３の折り返し方向を示している。また、図３は組み立て後の状態を示している。
【００１８】
カメラ装置１０のフロント部１０１は、パネル（以下、フロントパネル）１１、主基板１２、副基板１３、コネクタ１４、支持板（以下、ブラケット）１５およびスペーサ１６−１ａ、１６−１ｂ、１６−２ａ、１６−２ｂ（総称する場合はスペーサ１６と呼ぶ）を備える。
【００１９】
フロントパネル１１は、カメラ装置１０のフロント面を外囲するダイキャストのパネルである。また、内装側の面には、ねじ座１１ａ、１１ｂ、突起部１１−１〜１１−３、１１−４〜１１−６が設けられている。
【００２０】
なお、フロントパネル１１は、装置組み立て後、シールドされて接地する（ＧＮＤに導通する）。さらに、図示はしていないが、フロントパネル１１の左側にカメラレンズが位置する。
【００２１】
主基板１２は、ＣＭＯＳ撮像素子（以下、ＣＭＯＳイメージセンサ）１２ａが実装されている。また、主基板１２の上端部には副基板１３が接続し、下端部にはコネクタ１４が接続している。
【００２２】
副基板１３は、柔軟性があり変形可能なフレキシブル部１３ａを介して主基板１２と接続している。また、主基板１２の接地パターン（以下、ＧＮＤパターン）は、フレキシブル部１３ａを介して引き出されており、引き出されたＧＮＤパターンは、副基板１３の両端側に接地面（以下、ＧＮＤ面）１３ｂとなって表装されている。
【００２３】
さらに、副基板１３のＧＮＤ面１３ｂの箇所には、左右両端にねじ穴１３ｓ−１、１３ｓ−２がそれぞれ設けられている。さらにまた、ＧＮＤ面１３ｂの箇所には、組み立て時に、フロントパネル１１の突起部１１−１〜１１−３、１１−４〜１１−６が挿入する孔１３−１〜１３−３、１３−４〜１３−６が設けられている。
【００２４】
コネクタ１４は、フレキシブル部１４ａを介して、主基板１２と接続しており、主基板１２と他基板とを電気的に接続させる。ブラケット１５は、金属製であり、主基板１２のＣＭＯＳイメージセンサ１２ａが搭載されていない側の面に対して、樹脂製の接着剤で接着して固定する。
【００２５】
また、ブラケット１５には、主基板１２との接着時に、主基板１２に実装されているＣＭＯＳイメージセンサ１２ａと接触しないように、ブラケット１５がＣＭＯＳイメージセンサ１２ａに当たる箇所に対して、切り欠き穴１５ａが設けられている。
【００２６】
さらに、ブラケット１５の左右両端には、ねじ穴１５ｓ−１、１５ｓ−２がそれぞれ設けられている。さらにまた、組み立て時に、フロントパネル１１の突起部１１−１〜１１−３、１１−４〜１１−６が挿入する孔１５−１〜１５−３、１５−４〜１５−６が設けられている。
【００２７】
スペーサ１６は、フランジバック調整をするための厚みの異なる複数の板状部品であり、フロントパネル１１と、ＣＭＯＳイメージセンサ１２ａが実装されている主基板１２の面（ブラケット１５が接着しない側の面）との間に配置される。
【００２８】
図１では、例えば、左側のスペーサ１６−１ａと右側のスペーサ１６−１ｂとは、共に同じ厚みｄ１とし、左側のスペーサ１６−２ａと右側のスペーサ１６−２ｂとは、共に同じ厚みｄ２（≠ｄ１）としている。
【００２９】
このように、適切な厚みかつ枚数のスペーサ１６をフロントパネル１１と、ＣＭＯＳイメージセンサ１２ａが実装されている主基板１２の面との間に配置する。これにより、カメラレンズのマウント面から、ＣＭＯＳイメージセンサ１２ａまでの距離を調整することができる（フランジバック調整）。
【００３０】
ただし、フランジバック調整では、フロントパネル１１と、ＣＭＯＳイメージセンサ１２ａが実装された主基板１２との相対位置は、これら部品の配置ばらつきの影響により、相対位置が毎回異なる。
【００３１】
このため、フロントパネル１１と、主基板１２との間にスペーサ１６を挟んで、フロントパネル１１と主基板１２とをねじ止めすると、フランジバック調整の精度を確保することが困難である。
【００３２】
このため、主基板１２の裏面（ＣＭＯＳイメージセンサ１２ａが搭載されていない面）にブラケット１５を接着剤で接着し、フロントパネル１１と主基板１２との間にスペーサ１６を挟んで、フロントパネル１１とブラケット１５とをねじ止めすることで、フランジバック調整の精度を確保している。
【００３３】
一方、図２に示すように、主基板１２のＧＮＤパターンが引き出され、副基板１３の片面側に表装されたＧＮＤ面１３ｂは、ブラケット１５の主基板１２と接着していない側の金属面に接続するように、フレキシブル部１３ａの部分で図の矢印方向に屈曲させる。
【００３４】
そして、装置組み立て時においては、フロントパネル１１に設けられている突起部１１−１は、ブラケット１５の孔１５−１と副基板１３の孔１３−１に挿入し、フロントパネル１１に設けられている突起部１１−２は、ブラケット１５の孔１５−２と副基板１３の孔１３−２に挿入する。
【００３５】
同様に、フロントパネル１１に設けられている突起部１１−３は、ブラケット１５の孔１５−３と副基板１３の孔１３−３に挿入し、フロントパネル１１に設けられている突起部１１−４は、ブラケット１５の孔１５−４と副基板１３の孔１３−４に挿入する。
【００３６】
さらに、フロントパネル１１に設けられている突起部１１−５は、ブラケット１５の孔１５−５と副基板１３の孔１３−５に挿入し、フロントパネル１１に設けられている突起部１１−６は、ブラケット１５の孔１５−６と副基板１３の孔１３−６に挿入する。
【００３７】
図３に示す組み立て後の状態では、フロントパネル１１とブラケット１５との間に主基板１２が配置している。また、フレキシブル部１３ａが折り返された屈曲した状態で、副基板１３のＧＮＤ面１３ｂが、ブラケット１５の主基板１２と接着していない側の金属面に接続している。
【００３８】
そして、このような位置関係において、副基板１３、ブラケット１５およびフロントパネル１１を金属製のねじｓ１、ｓ２で締結固定（共締め）する。
【００３９】
すなわち、副基板１３のねじ穴１３ｓ−１およびブラケット１５のねじ穴１５ｓ−１をねじｓ１が貫通し、フロントパネル１１のねじ座１１ａに対して、ねじｓ１が締結固定する。
【００４０】
同様に、副基板１３のねじ穴１３ｓ−２およびブラケット１５のねじ穴１５ｓ−２をねじｓ２が貫通し、フロントパネル１１のねじ座１１ｂに対して、ねじｓ２が締結固定する。
【００４１】
ここで、フロントパネル１１は、接地するので、金属製のねじｓ１、ｓ２によってフロントパネル１１とブラケット１５が締結していることから、ブラケット１５もＧＮＤに導通する。また、ブラケット１５には、副基板１３のＧＮＤ面１３ｂが接続している。
【００４２】
ＧＮＤ面１３ｂは、主基板１２のＧＮＤパターンを、フレキシブル部１３ａを通じて引き出したものである。したがって、主基板１２のＧＮＤパターンもＧＮＤに導通するようになる。
【００４３】
以上説明したように、カメラ装置１０のフロント部１０１では、フレキシブル部１３ａが折り返された屈曲した状態で、副基板１３のＧＮＤ面１３ｂがブラケット１５の面に接続する。
【００４４】
そして、フロントパネル１１とブラケット１５との間に主基板１２を挟んだ状態で、副基板１３、ブラケット１５およびフロントパネル１１を金属製のねじｓ１、ｓ２で締結固定して、主基板１２のＧＮＤパターンをフロントパネル１１に導通させて接地する構成とした。
【００４５】
これにより、主基板１２のＧＮＤを確保して電気的特性の向上を図ることが可能になる。また、細線同軸ケーブル等を用いずにＧＮＤを確保できるので、小型化製品にも適用することが可能になる。
【００４６】
また、主基板１２のＧＮＤを確保しながら、フランジバック調整を行うことができ、さらに、主基板１２からフレキシブル部１３ａが直出ししているので、主基板１２の放熱にも効果がある。
【００４７】
なお、副基板１３を折り返してのブラケット１５との接続時、副基板１３は、ブラケット１５に設けられている切り欠き穴１５ａを覆うようにして、ブラケット１５の面と接続させる。
【００４８】
これにより、主基板１２から切り欠き穴１５ａを通じて放射される不要輻射波、または切り欠き穴１５ａを通じて侵入する不要輻射波を抑制することができ、シールド効果を得ることができる。
【００４９】
次にカメラ装置１０のリア部について説明するが、最初にリア部に関しての解決すべき課題について説明する。
【００５０】
ＭＶカメラのように他の装置に組み込むカメラでは、外形寸法の縮小が要求されている。一方、カメラ機器は、高解像度化、高速度化に向かっているため、搭載する基板の枚数や放熱に使用する機構部品が増えている。
【００５１】
このため、基板を搭載するスペースを確保し、さらに、基板上の実装スペースを確保するために、基板固定機構からねじ止めを無くしたねじレス化の方向へ進んでいる。
【００５２】
このような状況において、使用する基板としては、フレキシブル部を介して基板同士を接続可能なリジッドフレキシブル基板が多用されている。また、従来の基板固定機構では、スリットにリジッドフレキシブル基板を挿入して、基板の上部を固定して位置決めすることが行われている。
【００５３】
すなわち、ダイキャスト部にスリットを設け、そのスリットに基板を挿入する。この場合、リジッドフレキシブル基板は、フレキシブル部分に柔軟性があり変形するので、スリットに挿入したときには、所定の位置に基板が固定しない（基板のぐらつきが生じる）。
【００５４】
このため、基板の上側から樹脂部品のホルダーを被せて位置決めし、さらに外装である板金カバーをホルダーの上から押しつけ組み付けることで基板を固定していた。
【００５５】
しかし、このような従来の機構では、リジッドフレキシブル基板の枚数が多くなるほど、所定の位置にリジッドフレキシブル基板を固定させる組み付け作業が煩雑になり、生産性の低下を招くおそれがあった。
【００５６】
本技術は、このような点にも鑑みてなされたものであり、組み付け作業を容易にし、生産性の向上を図った電子装置およびフレキシブルシャーシを提供するものである。
【００５７】
次に本技術の電子装置の一例として、カメラ装置１０のリア部に適用した場合について以降説明する。カメラ装置１０のリア部の基板固定機構は、基板ユニットと、基板固定用のフレキシブルシャーシとを有する。
【００５８】
図４は基板ユニットの構成例を示す図である。カメラ装置１０に搭載される基板ユニット２０は、各種半導体部品が実装されている複数の基板（図の例では４枚としている）が、フレキシブル部を介して接続された構成になっている。
【００５９】
図の例では、基板ユニット２０は、基板（リジッド部）２１〜２４を含む。なお、基板２１には、ＦＰＧＡ（Field-Programmable Gate Array）などの発熱部品２００が実装されている。また、基板２４には、図１〜図３で示したフロント部１０１と接続するためのコネクタ２４ａが実装されている。
【００６０】
基板２１、２４は、フレキシブル部２ａを介して接続し、基板２１、２２は、フレキシブル部２ｂを介して接続し、基板２２、２３は、フレキシブル部２ｃを介して接続している。
【００６１】
また、基板２１の端部には、後述のフレキシブルシャーシのスリットに挿入する突起部（アシ部）２１−１、２１−２が設けられている。基板２２には、後述のフレキシブルシャーシの突起部（ツメ部）に嵌る切り欠き部３ａ、４ａ、５ａ、６ａが設けられている。基板２４には、後述のフレキシブルシャーシのツメ部に嵌る切り欠き部７ａ、８ａが設けられている。
【００６２】
図５、図６はフレキシブルシャーシの構成例を示す図である。フレキシブルシャーシ３０は、樹脂製であり、スナップフィット機構で基板を固定することが可能なシャーシであり、スリット部３１およびアーム部３２−１、３２−２を有している。
【００６３】
スリット部３１には、基板が挿入されるスリット３１ａ−１、３１ａ−２と、放熱板が挿入される放熱板用スリット３１ｂ−１、３１ｂ−２とが設けられている。また、スリット部３１の両端には、折り曲げ可能なヒンジ３１ｃ−１、３１ｃ−２が設けられている。
【００６４】
アーム部３２−１は、ヒンジ３１ｃ−１を介してスリット部３１と接続し、アーム部３２−２は、ヒンジ３１ｃ−２を介してスリット部３１と接続している。また、アーム部３２−１には、フック部３２ａ−１およびツメ部１、３、４、７が設けられ、アーム部３２−２には、フック部３２ａ−２およびツメ部２、５、６、８が設けられている。
【００６５】
次にフレキシブルシャーシ３０に対する基板ユニット２０の組み付けについて段階毎に詳しく説明する。図７〜図１８はフレキシブルシャーシによる基板の固定設置を説明するための図である。
【００６６】
図７は、フレキシブルシャーシ３０のスリット部３１に、基板ユニット２０が挿入している状態を示している。具体的には、フレキシブルシャーシ３０のスリット部３１のスリット３１ａ−１、３１ａ−２に、基板ユニット２０の基板２１のアシ部２１−１、２１−２がそれぞれ挿入する。
【００６７】
図８は、フレキシブルシャーシ３０のスリット部３１への放熱板４０の挿入前の状態を示している。放熱板４０には、フレキシブルシャーシ３０のスリット部３１の放熱板用スリット３１ｂ−１、３１ｂ−２に挿入されるアシ部４１−１、４１−２が設けられている。また、アーム部３２−１のツメ部１およびアーム部３２−２のツメ部２と嵌合する孔４２−１、４２−２が設けられている。
【００６８】
図９は、アーム部３２−１、３２−２の可動方向を示している。ヒンジ３１ｃ−１、３１ｃ−２を折り曲げて、図中の矢印方向へアーム部３２−１、３２−２を可動させる。
【００６９】
図１０は、ヒンジ３１ｃ−１、３１ｃ−２が折り曲げられて、アーム部３２−１、３２−２が可動した状態を示している。放熱板４０がフレキシブルシャーシ３０のスリット部３１に挿入されている。
【００７０】
さらに、ヒンジ３１ｃ−１、３１ｃ−２が折り曲げられて可動したアーム部３２−１、３２−２によって、基板２１および放熱板４０がフレキシブルシャーシ３０に固定されている。
【００７１】
この場合、放熱板４０のアシ部４１−１、４１−２のそれぞれが、フレキシブルシャーシ３０のスリット部３１の放熱板用スリット３１ｂ−１、３１ｂ−２に挿入する。
【００７２】
また、アーム部３２−１は、ヒンジ３１ｃ−１で折り曲げられて、スリット部３１に対して垂直方向まで可動し、アーム部３２−２は、ヒンジ３１ｃ−２で折り曲げられてスリット部３１に対して垂直方向まで可動している。
【００７３】
このとき、アーム部３２−１の先端に設けられたフック部３２ａ−１が、基板２１の上端部に嵌合する。さらに、アーム部３２−１の先端に設けられたツメ部１が、放熱板４０の孔４２−１に嵌合する。
【００７４】
同様にして、アーム部３２−２の先端に設けられたフック部３２ａ−２が、基板２１の上端部に嵌合する。さらに、アーム部３２−２の先端に設けられたツメ部２が、放熱板４０の孔４２−２に嵌合する。
【００７５】
以上説明したように、ヒンジ機構のあるフレキシブルシャーシ３０を使用し、基板ユニット２０を実装する。この場合、まず、フレキシブルシャーシ３０には、基板２１を差し込むことができるスリット３１ａ−１、３１ａ−２が設けられているため、基板２１の前後左右方向の位置決が可能になる。
【００７６】
さらに、フレキシブルシャーシ３０には、放熱板４０を差し込むことができる放熱板用スリット３１ｂ−１、３１ｂ−２が設けられているため、発熱部品２００が実装されている基板２１の近傍に放熱板４０を位置決めすることができる。
【００７７】
そして、スリット３１ａ−１、３１ａ−２に基板２１を挿入し、放熱板４０を放熱板用スリット３１ｂ−１、３１ｂ−２に挿入した状態で、左右のヒンジ３１ｃ−１、３１ｃ−２を曲げて、両側のアーム部３２−１、３２−２を上方向に可動する。
【００７８】
アーム部３２−１、３２−２に設けられているフック部３２ａ−１、３２ａ−２は、基板２１の上端部を嵌合する。さらに、放熱板４０には、孔４２−１、４２−２が設けられており、アーム部３２−１、３２−２に設けられているツメ部１、２が孔４２−１、４２−２にそれぞれ嵌合する。上記のような組み立てによって、基板２１と放熱板４０が、フレキシブルシャーシ３０によって固定配置することができる。
【００７９】
次に基板２２〜２４の固定機構について段階毎に説明する。図１１は、基板２２の可動方向を示している。フレキシブル部２ｂを屈曲させて、図中の矢印方向へ基板２２を可動させる。
【００８０】
図１２は、基板２２がフレキシブル部２ｂで曲げられて、フレキシブルシャーシ３０のアーム部３２−１、３２−２で固定されている状態を示している。
【００８１】
この場合、アーム部３２−１に設けられているツメ部３が、基板２２の切り欠き部３ａに嵌合し、アーム部３２−１に設けられているツメ部４が、基板２２の切り欠き部４ａに嵌合する。
【００８２】
さらに、アーム部３２−２に設けられているツメ部６が、基板２２の切り欠き部６ａに嵌合し、アーム部３２−２に設けられているツメ部５が、基板２２の切り欠き部５ａに嵌合する。このようなスナップフィット機構により、基板２２をフレキシブルシャーシ３０のアーム部３２−１、３２−２に容易に固定することができる。
【００８３】
図１３、図１４は、基板２３の上端部にリアパネル５０が設置された状態を示している。リアパネル５０に取り付けられている、図示しないコネクタのピンと、基板２３の所定箇所とが半田付けされて、基板２３の上端部にリアパネル５０が搭載される。
【００８４】
なお、図１４は、図１３に示す構成を、矢印方向に回転させて向きを変えた状態を示しているものである。また、図１４では、ケーブルコネクタ６０が、リアパネル５０を介して基板２３に接続されている。
【００８５】
図１５は、フレキシブルシャーシ３０のアーム部３２−１、３２−２で固定された基板２１、２２および放熱板４０の可動方向を示している。フレキシブル部２ｃを屈曲させて、図中の矢印方向に対して、アーム部３２−１、３２−２によって一体化している基板２１、２２および放熱板４０を可動させる。
【００８６】
図１６は、フレキシブル部２ｃが曲げられて、アーム部３２−１、３２−２によって一体化している基板２１、２２および放熱板４０が、リアパネル５０上に搭載された状態を示している。
【００８７】
図１７は、図１〜図３で組み立て機構を示したカメラ装置１０のフロント部１０１と、カメラ装置１０のリア部１０２との接続時の状態を示している。フロント部１０１をリア部１０２に接続する場合は、フロント部１０１のコネクタ１４と、基板２４に実装されているコネクタ２４ａとを嵌合させる。これにより、フロント部１０１とリア部１０２とが電気的に接続される。
【００８８】
なお、図中の矢印Ａは、フロント部１０１の可動方向を示し、矢印Ｂは、基板２４の可動方向を示している。フロント部１０１のリア部１０２への取り付け後、フレキシブル部１４ａを屈曲させて、矢印Ａ方向へフロント部１０１を可動させる。また、フレキシブル部２ａを屈曲させて、矢印Ｂ方向へ基板２４を可動させる。
【００８９】
図１８は、フロント部１０１および基板２４が固定された状態を示している。フレキシブル部１４ａが屈曲した状態で、フロント部１０１のコネクタ１４が、基板２４に実装されているコネクタ２４ａに嵌合している。
【００９０】
また、フレキシブル部２ａを曲げて可動した基板２４は、フレキシブルシャーシ３０に固定される。この場合、アーム部３２−１に設けられているツメ部７が、基板２４の切り欠き部７ａに嵌合し、アーム部３２−２に設けられているツメ部８が、基板２４の切り欠き部８ａに嵌合する。このようなスナップフィット機構により、基板２４をフレキシブルシャーシ３０のアーム部３２−１、３２−２に容易に固定することができる。
【００９１】
図１９はカメラ装置の概観を示す図である。図１８に示す構造に対して、最後に、樹脂部品であるホルダー１１０を基板上端から被せて固定する。
【００９２】
以上説明したように、カメラ装置１０のリア部１０２では、フレキシブル部を介して接続された第１〜第ｎの基板を含む基板ユニット２０と、フレキシブルシャーシ３０とを備える。
【００９３】
フレキシブルシャーシ３０のスリットには、第１の基板が挿入し、第１の基板の左右からヒンジを折り曲げてアーム部を可動して、アーム部に設けられているフックで第１の基板を固定する。
【００９４】
そして、残りの第２〜第ｎの基板を、フレキシブル部を介して屈曲させて積層させ、積層させた第２〜第ｎの基板をアーム部に設けられている突起部で嵌め込み固定する構成とした。
【００９５】
これにより、基板の枚数が多くなっても、フレキシブルシャーシによって所定の位置に基板を簡単に固定させることができるので、組み付け作業が容易になり、生産性の向上を図ることが可能になる。
【００９６】
なお、本技術は以下のような構成も採ることができる。
（１）  接地される金属製のパネルと、
ＣＭＯＳ撮像素子が実装されている主基板と、
前記主基板の接地パターンがフレキシブル部を介して引き出され、引き出された前記接地パターンが表装された接地面を有して、前記フレキシブル部を介して前記主基板と接続する副基板と、
前記主基板に対し、一方の面が接着層を介して固着する金属製の支持板と、
を備え、
前記フレキシブル部を屈曲させて、前記副基板の前記接地面を前記支持板の他方の面に接続し、前記支持板を介して、前記主基板の前記接地パターンを前記パネルに導通させて接地するカメラ装置。
（２）  前記フレキシブル部が折り返されて屈曲した状態で、前記副基板の前記接地面が前記支持板の他方の面に接続し、前記パネルと前記支持板との間に前記主基板を挟んだ状態で、前記副基板、前記支持板および前記パネルを金属製ねじで締結固定することで、前記主基板の前記接地パターンを前記パネルに導通させて接地する前記（１）記載のカメラ装置。
（３）  前記支持板は、前記主基板に実装されている前記ＣＭＯＳ撮像素子に接触しないように切り欠き穴が設けられ、前記切り欠き穴以外の部分で前記接着層を介して前記主基板の前記一方の面と固着し、前記副基板は、前記フレキシブル部が折り返されて屈曲した状態では、前記支持板の前記切り欠き穴を覆うようにして、前記支持板の前記他方の面と接続する前記（１）または前記（２）記載のカメラ装置。
（４）  前記パネルと、前記支持板が固着していない側の前記主基板の面との間には、フランジバック調整をするための厚みの異なる複数のスペーサが配置している前記（１）〜（３）のいずれかに記載のカメラ装置。
（５）  フレキシブル部を介して第１〜第ｎの基板が接続されている基板ユニットと、
スリットが形成されているスリット部と、前記スリット部の両端に設けられた折り曲げ可能なヒンジを介して、前記スリット部の両端に接続する２本のアーム部と、を含むフレキシブルシャーシと、
を備える電子装置。
（６）  前記スリットに第１の基板が挿入し、前記第１の基板の左右から前記ヒンジを折り曲げて前記アーム部を可動して、前記アーム部に設けられているフックで前記第１の基板を固定し、
残りの第２〜第ｎの基板を、前記フレキシブル部を屈曲させて積層させ、積層させた前記第２〜第ｎの基板を前記アーム部に設けられている突起部で嵌め込み固定する前記（５）記載の電子装置。
（７）  前記フレキシブルシャーシの前記スリット部には、放熱板が挿入される放熱板用スリットが形成されている前記（５）または前記（６）記載の電子装置。
（８）  スリットが形成されているスリット部と、
前記スリット部の両端に設けられた折り曲げ可能なヒンジを介して、前記スリット部の両端に接続する２本のアーム部と、
を備えるフレキシブルシャーシ。
（９）  第１〜第ｎの基板がフレキシブル部を介して接続されている基板ユニットに対して、
前記スリットに挿入された第１の基板の左右から前記ヒンジを折り曲げて前記アーム部を可動して、前記アーム部に設けられているフックで前記第１の基板を固定し、
前記フレキシブル部を屈曲させて積層させた残りの第２〜第ｎの基板を、前記アーム部に設けられている突起部で嵌め込み固定する前記（８）記載のフレキシブルシャーシ。
（１０）  前記スリット部には、放熱板が挿入される放熱板用スリットが形成されている前記（８）または前記（９）記載のフレキシブルシャーシ。
【００９７】
なお、上述の実施の形態は、実施の形態の要旨を逸脱しない範囲内において種々の変更を加えることができる。
【００９８】
さらに、上述の実施の形態は、多数の変形、変更が当業者にとって可能であり、説明した正確な構成および応用例に限定されるものではない。
【符号の説明】
【００９９】
１０……カメラ装置、１１……フロントパネル、１１ａ、１１ｂ……ねじ座、１１−１〜１１−６……突起部、１２……主基板、１２ａ……ＣＭＯＳイメージセンサ、１３……副基板、１３ａ……フレキシブル部、１３ｂ……ＧＮＤ面、１３ｓ−１、１３ｓ−２……ねじ穴、１３−１〜１３−６……孔、１４……コネクタ、１４ａ……フレキシブル部、１５……ブラケット、１５ａ……切り欠き穴、１５ｓ−１、１５ｓ−２……ねじ穴、１５−１〜１５−６……孔、１６−１ａ、１６−１ｂ、１６−２ａ、１６−２ｂ……スペーサ、１０１……フロント部
【図１】
2013172245.tif 000003
【図２】
2013172245.tif 000004
【図３】
2013172245.tif 000005
【図４】
2013172245.tif 000006
【図５】
2013172245.tif 000007
【図６】
2013172245.tif 000008
【図７】
2013172245.tif 000009
【図８】
2013172245.tif 000010
【図９】
2013172245.tif 000011
【図１０】
2013172245.tif 000012
【図１１】
2013172245.tif 000013
【図１２】
2013172245.tif 000014
【図１３】
2013172245.tif 000015
【図１４】
2013172245.tif 000016
【図１５】
2013172245.tif 000017
【図１６】
2013172245.tif 000018
【図１７】
2013172245.tif 000019
【図１８】
2013172245.tif 000020
【図１９】
2013172245.tif 000021